(57)【要約】      （修正有）【課題】モバイルコンピューティングデバイスの電源が切断されている間に情報を格納する。【解決手段】モバイルコンピューティングデバイスの電源が切断されている間に、少なくとも部分的に該モバイルコンピューティングデバイスのシャーシ内にある音声録音デバイスを用いて音声録音を作成するステップと、前記モバイルコンピューティングデバイスの電源を投入するステップとを含む方法を提供する。【選択図】図４
2006106747.tif 000002
【特許請求の範囲】
【請求項１】
モバイルコンピューティングデバイスの電源が切断されている間に、少なくとも部分的に該モバイルコンピューティングデバイスのシャーシ内にある音声録音デバイスを用いて音声録音を作成するステップと、
前記モバイルコンピューティングデバイスの電源を投入するステップと
を含む方法。
【請求項２】
前記音声録音デバイスから前記モバイルコンピューティングデバイスに、少なくともいくつかの情報を転送するステップをさらに含む請求項１に記載の方法。
【請求項３】
前記転送するステップ後に、前記モバイルコンピューティングデバイスによって実行される音声認識プログラムに前記音声録音を与えるステップをさらに含む請求項２に記載の方法。
【請求項４】
前記作成するステップはデジタル音声録音を作成するステップをさらに含む請求項１に記載の方法。
【請求項５】
前記モバイルコンピューティングデバイスによって実行される音声認識プログラムに、前記デジタル音声録音を与えるステップをさらに含む請求項４に記載の方法。
【請求項６】
バッテリを備え、シャーシ内に収納されるモバイルコンピュータシステムと、
前記シャーシ内に少なくとも部分的に収納され、且つ前記バッテリに電気的に結合される音声録音システムと
を備えるシステムであって、前記モバイルコンピュータシステムの電源が切断されているときに、前記音声録音システムが前記バッテリからの電力を使用して音声録音を作成することを特徴とするシステム。
【請求項７】
前記音声録音システムが、プロセッサに電気的に結合される録音システムユーザインタフェースをさらに備える請求項６に記載のシステム。
【請求項８】
前記シャーシがヒンジを中心に回転するトップカバーをさらに備え、前記録音システムユーザインタフェースが前記トップカバーに機械的に結合する請求項７に記載のシステム。
【請求項９】
ヒンジを中心に回転するトップカバーと、
前記ヒンジと反対側であり、前記トップカバーが閉鎖位置にあるときに該トップカバーの平面に対して実質的に垂直である前面部と
をさらに備えるシャーシであって、
前記録音システムユーザインタフェースが前記前面部に機械的に結合する請求項７に記載のシステム。
【請求項１０】
前記モバイルコンピュータシステムに電気的に結合するマイクロフォンをさらに備え、前記音声録音システムと前記モバイルコンピュータシステムとがともに前記マイクロフォンを利用する請求項６に記載のシステム。
【発明の詳細な説明】
【技術分野】
【０００１】
本発明は、音声録音デバイス及びモバイルコンピューティングデバイスに関し、特に、モバイルコンピューティングデバイスの電源が切断されている間に音声録音デバイスを用いて音声録音を作成することができる音声録音デバイス及びモバイルコンピューティングデバイスに関する。
【背景技術】
【０００２】
ラップトップコンピュータ又はノートブックコンピュータと時に同義に呼ばれるモバイルパーソナルコンピュータデバイスにより、コンピュータシステムユーザが、家庭及び／又は職場から離れている間、また電源を見つけることが困難であり得る遠隔地において、パーソナルコンピュータ機能にアクセスすることができる。
【０００３】
しかしながら、モバイルパーソナルコンピュータデバイスが有用であるためには、それが動作状態になければならない。したがって、ユーザが情報を入力するか又は検索することができる前に、コンピュータの電源が投入され、そのブートシーケンスが完了し、オペレーティングシステム及び／又はアプリケーションプログラムが動作状態である必要がある。モバイルコンピューティングデバイスのブートには、オペレーティングシステムのタイプ、ランダムアクセスメモリの量、ハードドライブのサイズ、プロセッサの速度、及びデバイスの電源が最後のシーケンスで適当に切断されたか等の要素に応じて、数秒から数分かかる可能性がある。
【発明の開示】
【発明が解決しようとする課題】
【０００４】
モバイルコンピュータデバイスの電源が切断されており、且つユーザが情報を入力する必要がある場合、特に比較的わずかな量の情報しかない場合、マシン全体をブートすることは不都合である場合がある。
【０００５】
したがって、当該技術分野では、モバイルコンピューティングデバイスの電源が切断されているときに後に入力する情報を格納するメカニズムが必要とされている。
【課題を解決するための手段】
【０００６】
上述した問題は、主に音声録音デバイス及びモバイルコンピューティングデバイスの方法及びシステムによって解決される。例示的な実施形態のうちのいくつかは、少なくとも部分的にモバイルコンピューティングデバイスのシャーシ内にある音声録音デバイスにより音声録音を作成すること（モバイルコンピュータデバイスの電源が切断されている間に作成すること）、及びモバイルコンピューティングデバイスの電源を投入することを含む方法であってもよい。
【０００７】
本発明の例示的な実施形態を詳細に説明するために、ここで添付図面を参照する。
【発明を実施するための最良の形態】
【０００８】
［表記及び用語］
以下の説明及び特許請求の範囲を通して、特定のシステムコンポーネントを指すためにいくつかの用語を使用する。当業者が理解するように、コンピュータ会社は、１つのコンポーネントを異なる名称で呼ぶ場合がある。本明細書は、名称は異なるが機能は異ならないコンポーネントを識別することを意図していない。
【０００９】
以下の説明及び特許請求の範囲において、「含む（including）」及び「具備する、備える（comprising）」は、限定的でない（open-ended）ように使用されており、そのため、「含むが、それに限定されない」を意味するように解釈されるべきである。また、「結合する（couple）」という用語は、間接的な接続又は直接的な接続のいずれかを意味するように意図される。このため、第１のデバイスが第２のデバイスに結合する場合、その接続は、直接的な接続によってもよく、又は他のデバイス及び接続を介する間接的な接続によってもよい。
【００１０】
［詳細な説明］
図１は、本発明の少なくともいくつかの実施形態によるモバイルコンピューティングデバイス１００を示す。このモバイルコンピューティングデバイスは、ポインティングデバイス１０及びキーボード１２等の複数のユーザインタフェースを備える。情報をユーザに伝達することができるように、モバイルコンピューティングデバイス１００はまた、モニタ１４も備える（モニタの目に見える部分は図１では見えない、すなわちデバイスは部分的に閉じているように示されている）。コンピュータシステム１００はまた、１つ又は複数のスピーカ１６も備え、スピーカ１６は、モバイルコンピューティングデバイス１００がブートされ、且つ動作状態になると、ユーザに対して音声情報を伝達する。
【００１１】
本発明の実施形態によれば、モバイルコンピューティングデバイス１００はまた、モバイルコンピューティングデバイス１００と同じシャーシ内に音声録音システムを備えてもよく、それは、モバイルコンピューティングデバイス１００の電源が切断されている時であっても動作状態にある。図１は同時に、音声録音システムのユーザインタフェースに対する２つの代替的な位置を示す。実施形態によっては、ユーザインタフェース１８は、モニタ１４を収容するトップカバーハウジングに配置される。したがって、ユーザは、インタフェース１８を使用して音声録音を選択的に録音し、停止し、再生し、早送りし、且つ／又は巻き戻しすることができる。代替実施形態では、ユーザインタフェース２０は、モバイルコンピューティングデバイス１００の前面部２２に配置される。代替ユーザインタフェース２０は、ユーザインタフェース１８に関して説明したものと同じ機能を有してもよい。図１は、モニタ１４を収容するトップカバーと前面部２２とにある音声録音システムのユーザインタフェースのみを示すが、音声録音システムのユーザインタフェースを、底部、背面又は側面等、モバイルコンピューティングデバイス１００の任意の場所に配置することができる、ということが理解されよう。ユーザインタフェースを、それらのそれぞれのカバー又は面に完全に組み込んでも、部分的に組み込んでも、又は機械的に結合してもよい。
【００１２】
音声録音システムで使用するマイクロフォンを、任意の適当な場所に配置してもよい。図１は、モニタ１４を収容するトップカバーにおいてユーザインタフェース１８に隣接する第１のマイクロフォン２４を示す。代替実施形態では、マイクロフォン２６は、モバイルコンピューティングデバイスの前面部２２の、恐らくは音声録音システムのユーザインタフェース２０に隣接する場所に配置される。ユーザインタフェース１８を使用する場合、マイクロフォン２６のみを使用してもよい。同様に、インタフェース２０を使用する場合、マイクロフォン２４のみを使用してもよい。両マイクロフォン２４及び２６をシャーシに組み込んでもよく、それらは、所望の位置で表面を通って延在する関連部分を有してもよい。別法として、マイクロフォン２４及び２６は、シャーシ内にあって音声がマイクロフォンに届くようにシャーシにそれぞれの開口を有するようにしてもよい。
【００１３】
音声認識システムとそれが統合されるコンピュータシステム電子部品との間のコンポーネントの相互作用及び／又は共通性の程度は、本発明の実施形態にわたって大きく異なる可能性がある。図２は、コンピュータシステム電子部品３２に単に最小限に結合され且つそれに依存する音声録音システム３０が統合されたモバイルコンピューティングシステム１００を、ブロック図の形式により示す。特に、本発明の少なくともいくつかの実施形態による音声録音システム３０は、アナログ／デジタル（Ａ／Ｄ）変換器３８によりプロセッサ３６に結合される音声録音システム３０自体のマイクロフォン３４を備える。プロセッサ３６は、マイクロコントローラ又はデジタル信号プロセッサ等の任意の適当なプロセッサであってもよい。プロセッサは、ユーザインタフェース４０からコマンドを受け取ると、マイクロフォンによって検出されるユーザの発話語をサンプリングし、それらの発話語のデジタル表現をメモリ４２に格納してもよい。メモリ４２は、ランダムアクセスメモリ（ＲＡＭ）、不揮発性ＲＡＭ（ＮＶＲＡＭ）又はデジタル音声録音を格納するために適した任意のデバイス等、任意の適当なメモリであってもよい。同様に、ユーザインタフェース４０によるユーザの指示により、図２に示す実施形態のプロセッサ３６は、メモリ４２から先に格納された音声録音を読み出し、それら音声録音のデジタル表現をデジタル−アナログ（Ｄ／Ａ）変換器４４に提供してもよく、それによってＤ／Ａ変換器４４は、生成されたアナログ信号をスピーカ４６に結合する。
【００１４】
図２に示すように、音声録音システム３０は、モバイルコンピューティングデバイス１００内に統合されているが、音声録音システム３０自体のマイクロフォン及びスピーカを有し、バッテリ４８から動作電力を提供するためにのみコンピュータシステム電子部品３２に依存するスタンドアロンシステムである。このため、これらの実施形態では、音声録音システム３０を、コンピュータシステム電子部品３２の動作状態とは無関係に利用する。たとえば、コンピュータシステム電子部品３２の電源を切断してもよいが、音声録音システム３０を、ユーザがデジタル音声録音の形式で情報を格納するために起動してもよい。言い換えれば、コンピュータシステム電子部品３２の電源が切断されている場合であっても、音声録音システム３０は動作状態にあり、バッテリ４８から電力を引き出す。図２に示す実施形態のシステムのユーザは、先に録音されたデータをコンピュータに入力したい場合、コンピュータシステム電子部品３２をブートし、たとえばスピーカ４６を使用して先に録音された音声を再生し、その後恐らくはキーボード１２（図１）により情報をコンピュータシステム電子部品にタイプ入力することが必要となる可能性がある。
【００１５】
本発明の代替実施形態では、統合された音声録音システム３０は、コンピュータシステム電子部品３２に機能的に結合されている。これらの代替実施形態では、音声録音システム３０は、バッテリ４８に加えていくつかの共通ハードウェアコンポーネントを共有してもよい。図３は、音声録音システムをコンピュータシステム電子部品に機能的に結合してもよく、且つそれらの間で少なくともいくつかの共通して必要とされるハードウェア要素を共有してもよい、本発明の代替実施形態を示す。特に、図３は、音声録音システム３０とコンピュータ電子部品３２とを備えるモバイルコンピューティングシステム１００を示す。しかしながら、図３において、音声録音システム３０及びコンピュータ電子部品３２は、マイクロフォン５０及びスピーカ５２を共有する。コンピュータシステム電子部品３２の電源が切断されると、音声録音システム３０は、マイクロフォン５０及びスピーカ５２をともにそれらが音声録音システムの専用ハードウェアであるかのように使用することができる。コンピュータシステム電子部品３２の電源が投入されると、音声録音システム３０及びコンピュータシステム電子部品３２はともに、マイクロフォン５０が検出する音声を読み出してデジタル化してもよい。共有スピーカ５２の場合、制御装置５４が、音声録音システム３０及びコンピュータシステム電子部品３２によるスピーカ５２へのアクセスを制御してもよい。実施形態によっては、制御装置５４は、音声録音システム３０又はコンピュータシステム電子部品３２のうちの一方を１つ又は複数のスピーカ５２に選択的に結合するリレーであってもよい。たとえば、制御装置５４は、音声録音システム３０によって生成されるオーディオ信号を検出し、その信号をスピーカ５２に結合してもよい。音声録音システム３０によってオーディオ信号が生成されていない場合、制御装置５４は、１つ又は複数のスピーカ５２をコンピュータシステム電子部品３２に結合してもよい。代替実施形態では、制御装置５４は、音声録音システム３０及びコンピュータシステム電子部品３２の両方からスピーカ５２に与えられる信号を混合するミキサとして作用してもよい。図２に示す実施形態に非常に類似するように、図３の音声録音システム３０は、コンピュータシステム電子部品３２の電源が切断されている場合であっても、動作し、コンピュータシステム電子部品３２のバッテリ４８から電力を引き出す。
【００１６】
図３はまた、プロセッサ３６が通信バス５６等によりコンピュータシステム電子部品３２に通信可能に結合される実施形態をさらに示す。プロセッサ３６がコンピュータシステム電子部品３２に通信可能に結合する実施形態では、コンピュータシステム電子部品３２の電源が切断されている間、音声録音システム３０が、バッテリ４８から電力を引き出して、音声録音を行うことができると想定する。コンピュータシステム電子部品３２がブートされると、メモリ４２に格納された音声録音を、通信バス５６によりコンピュータシステム電子部品３２に電子的に転送してもよい。
【００１７】
図４は、本発明の少なくともいくつかの実施形態によって実施してもよい方法を示す。方法は、開始し（ブロック７０）、続いて、コンピュータシステムの電源が切断されている間に恐らくは音声録音システム３０により音声録音を作成する（ブロック７２）。１つ又は複数の音声録音がなされた後、コンピュータシステム電子部品３２は電源が投入されブートされる（ブロック７４）。コンピュータシステム電子部品３２のブート後、音声録音を音声録音システム３０からコンピュータシステム電子部品３２に転送する（ブロック７６）。転送は多くの形態をとってもよい。実施形態によっては、ユーザは、音声録音を再生し、幾分か同時にキーボード１２（図１）により情報をコンピュータシステムに供給してもよい。代替実施形態では、音声録音の転送は、プロセッサ３６が通信バス５６によりデジタル音声録音を含むファイルを転送することによる等、電子的に行われてもよい。コンピュータシステム電子部品３２が音声録音の電子バージョンを受け取る場合、その音声録音を、音声認識プログラムに与えてもよい（ブロック７８）。その後、プロセスは終了する（ブロック８０）。
【００１８】
本発明の実施形態により任意の適当な音声認識プログラムを使用してもよく、Ｗｏｒｄ文書及び／又はＯｕｔｌｏｏｋ（商標）エントリ等、ユーザプログラムに挿入される音声認識プログラムによってテキストを作成してもよい。たとえば、デジタル音声録音をＷｏｒｄで動作する音声認識プログラムに与え、それにより文字化されたメッセージを直接Ｗｏｒｄファイルに配置する。Ｗｏｒｄが文字化情報の最終宛先でない場合、そのテキストを他のユーザプログラムにカット・アンド・ペーストしてもよい。別法として、情報を、音声認識ソフトウェアにより任意の現在利用可能な、又は後に開発されるユーザプログラムに直接文字化してもよい。
【００１９】
さらに別の代替実施形態では、デジタル音声録音の転送の後、コンピュータシステム３２を使用して音声録音を手動で文字化してもよく、又は音声録音を、電子メールメッセージ等により、かかるメッセージを文字化することに関与する人に転送してもよい。
【００２０】
本明細書において提供する説明から、当業者は、容易に、適当な汎用又は専用コンピュータハードウェアを用いて説明したように作成されたソフトウェアを結合して、本発明を具現化するコンピュータシステム及び／又はコンピュータサブコンポーネントを作成し、本発明の方法を実施するコンピュータシステム及び／又はコンピュータサブコンポーネントを作成し、且つ／又は本発明の方法態様を実施するソフトウェアプログラムを格納するコンピュータ読取可能媒体を作成することができる。
【００２１】
したがって、本発明のさまざまな実施形態は、ＤＩＣＴＡＰＨＯＮＥ（商標）に類似する音声録音システムの機能と、モバイルコンピュータシステムと、をともに統合するが、音声録音機能は、コンピュータシステム電子部品の電源が投入されておりそれが動作状態にある場合にのみ使用するようには制約されていない。
【図面の簡単な説明】
【００２２】
【図１】本発明の少なくともいくつかの実施形態によるモバイルコンピューティングシステムを示す概念的斜視図である。
【図２】本発明の少なくともいくつかの実施形態による音声録音デバイス及びモバイルコンピューティングシステムの電気的相互接続を示す概念図である。
【図３】本発明の代替実施形態による音声録音デバイス及びモバイルコンピューティングシステムの電気的相互接続を示す概念図である。
【図４】本発明の少なくともいくつかの実施形態によるフローチャートである。
【符号の説明】
【００２３】
３０  音声録音システム
３２  コンピュータシステム電子部品
３４  マイクロフォン
３６  プロセッサ
３８  Ａ／Ｄ変換器
４０  ユーザインタフェース
４２  メモリ
４４  Ｄ／Ａ変換器
４６  スピーカ
４８  バッテリ
５０  マイクロフォン
５２  スピーカ
５４  制御装置
【図１】
2006106747.tif 000003
【図２】
2006106747.tif 000004
【図３】
2006106747.tif 000005
【図４】
2006106747.tif 000006